(57)【要約】【課題】この発明は、矩形筒状に形成した箱体における両方の開口部のうち少なくとも一方の開口部を封函する封函作業を補助することができる封函補助器の提供を目的とする。【解決手段】本発明の封函補助器１０は、矩形筒状に形成した箱体Ｂを一方の開口部Ｂａが上向き、他方の開口部Ｂｂが下向きとなる状態に起立して載置する箱載置台２０と、箱載置台２０に載置された箱体Ｂの前面Ｂｆと対向して該箱載置台２０の前端部に対して垂直に取り付けられ、箱体Ｂの前面Ｂｆが押し当て方向Ｐｕに押し当てられる箱当て板３０と、箱当て板３０における上端部に対して押し当て方向Ｐｕと逆方向に向けて水平に突出され、箱載置台２０に載置された箱体Ｂの開口部Ｂａに連設した前後のフラップＢ１及び左右のフラップＢ２を折り曲げた状態に保持するフラップ押え板４０と、を備えている。【選択図】図６
2016130138.tif 000002
【特許請求の範囲】
【請求項１】
矩形筒状に形成した箱体における両方の開口部のうち少なくとも一方の開口部の前後縁部に連設した前後フラップを内側へ折り曲げ、該開口部の左右縁部に連設した左右フラップを内側へ折り曲げた状態において、封函用の粘着テープを左右フラップ同士の突き合わせ部分を覆うように貼着して封函する際に用いられる封函補助器であって、
矩形筒状に形成した前記箱体を、該箱体における一方の開口部が上向き、他方の開口部が下向きとなる状態に起立して載置する箱載置台と、
前記箱載置台に載置される前記箱体の一側面と対向して該箱載置台の一側端部に対して垂直に取り付けられ、該箱体の一側面が押し当て方向に押し当てられる箱当て板と、
前記箱当て板における上端部に対して前記押し当て方向と逆方向に向けて水平に突出され、前記箱載置台に載置された前記箱体における一方の開口部に連設した前後及び左右のフラップを折り曲げた状態に保持するフラップ押え板とを備えた
封函補助器。
【請求項２】
前記フラップ押え板における前記左右フラップ同士の突き合わせ部分と対応する水平部分に、
前記フラップ押え板の水平部分を前記押し当て方向と逆方向に切り欠いて、前記左右フラップ同士の突き合わせ部分の露出が許容される幅の切欠き部を形成した
請求項１に記載の封函補助器。
【請求項３】
前記切欠き部を、
前記フラップ押え板の水平部分から前記箱当て板の垂直部分に連続して形成した
請求項１又は２に記載の封函補助器。
【請求項４】
前記フラップ押え板における前記押し当て方向と逆方向の端部に、該逆方向に向けて徐々に高くなる反り返り部を設けた
請求項１〜３のいずれか一つに記載の封函補助器。
【請求項５】
前記フラップ押え板を、
前記箱載置台に載置される前記箱体の高さに応じて、前記前後及び左右のフラップの折り曲げ状態が保持される高さに上下調節自在に設けた
請求項１〜４のいずれか一つに記載の封函補助器。
【発明の詳細な説明】
【技術分野】
【０００１】
この発明は、例えば、段ボール紙、厚紙、プラスチックシート等の包装材にて矩形筒状に形成した箱体における両方の開口部のうち少なくとも一方の開口部を封函する封函作業の補助に用いられる封函補助器に関する。
【背景技術】
【０００２】
上述の箱体を用いて、例えば、収穫した農産物を箱詰めする場合、矩形筒状に形成した箱体における底部側の開口部の前後縁部に連設した前後フラップを内側へ折り曲げた後、続いて開口部の左右縁部に連設した左右フラップを内側へ折り曲げて、先に折り曲げられた前後フラップに重ね合わせる。前後及び左右のフラップを内側へ折り曲げたまま、封函用の粘着テープを、箱体における左右フラップ同士の突き合わせ部分を覆うように貼着して、箱体における底部側の開口部を封函した後、他方の開口部が上向きとなる姿勢に上下反転して、収穫した農産物を箱詰めする。
【０００３】
しかし、農産物の収穫数が多いと、箱体の数量も多くなるため、上述の箱体における底部側の開口部を作業者の手で封函するには手間及び時間が掛かる。そこで箱体を封函する封函作業に用いられる装置として、例えば、矩形筒状に形成した箱体における一方の開口部に連設した前後及び左右のフラップを内側へ折り曲げて互いに重ね合わせた後、箱体における左右フラップ同士の突き合わせ部分を貼着ローラによって封着する封函装置が提案されている（特許文献１参照）。
【０００４】
上述の封函装置は、多数の箱体を封函する作業に用いると便利であるが、例えば、農産物の収穫数が少なく、収穫した農産物を生産者が個人で出荷する場合、農産物の箱詰めに用いられる箱体の数量が少なくて済むため、上述のような高価な封函装置を用いる必要がない。しかし、農産物を出荷する場合、収穫した農産物を箱詰めする必要があるため、箱体における底部側の開口部を作業者の手で封函しなければならない。
【０００５】
つまり、矩形筒状に形成した箱体において、該箱体における底部側の開口部に連設した前後及び左右のフラップを内側へ折り曲げた後、粘着テープを、箱体における左右フラップ同士の突き合わせ部分に貼着する際に、内側へ折り曲げられた左右フラップが、該フラップ自体の復元力により折り曲げ前の状態に戻ろうとするため、左右フラップを内側へ折り曲げた状態に作業者の手で保持しなければならず、粘着テープを左右フラップ同士の突き合わせ部分を覆うように貼着することが難しい。また、左右フラップ同士の突き合わせ部分に隙間が生じやすく、箱体における底部側の開口部を良好な状態に封函することが困難である。
【先行技術文献】
【特許文献】
【０００６】
【特許文献１】特開２００６−８２８４９号公報
【発明の概要】
【発明が解決しようとする課題】
【０００７】
この発明は、矩形筒状に形成した箱体における両方の開口部のうち少なくとも一方の開口部を封函する封函作業を補助することができる封函補助器を提供することを目的とする。
【課題を解決するための手段】
【０００８】
この発明は、矩形筒状に形成した箱体における両方の開口部のうち少なくとも一方の開口部の前後縁部に連設した前後フラップを内側へ折り曲げ、該開口部の左右縁部に連設した左右フラップを内側へ折り曲げた状態において、封函用の粘着テープを左右フラップ同士の突き合わせ部分を覆うように貼着して封函する際に用いられる封函補助器であって、矩形筒状に形成した前記箱体を、該箱体における一方の開口部が上向き、他方の開口部が下向きとなる状態に起立して載置する箱載置台と、前記箱載置台に載置される前記箱体の一側面と対向して該箱載置台の一側端部に対して垂直に取り付けられ、該箱体の一側面が押し当て方向に押し当てられる箱当て板と、前記箱当て板における上端部に対して前記押し当て方向と逆方向に向けて水平に突出され、前記箱載置台に載置された前記箱体における一方の開口部に連設した前後及び左右のフラップを折り曲げた状態に保持するフラップ押え板とを備えたことを特徴とする。
【０００９】
上記箱体は、例えば、複数の段ボール紙を貼り合わせてなる多層構造の段ボール紙製包装材、あるいは、１枚の段ボール紙からなる単層構造の段ボール製包装材等で構成することができる。
【００１０】
この発明によれば、矩形筒状に形成した箱体における両方の開口部のうち少なくとも一方の開口部を封函する封函作業を補助することができる。  
詳しくは、矩形筒状に形成した箱体を、該箱体における一方（具体的には底部側）の開口部が上向き、他方の開口部が下向きとなる状態に起立して箱載置台に載置した後、箱体における一方の開口部の前後縁部に連設した前後フラップを、作業者の手で開口部の内側へ折り曲げる。
【００１１】
続いて、箱体における一方の開口部の左右縁部に連設した左右フラップを、作業者の手で開口部の内側へ折り曲げるとともに、先に折り曲げられた前後フラップに重ね合わせた状態に保持する。
【００１２】
箱載置台に載置された箱体を、該箱体における前後及び左右のフラップを折り曲げたまま、箱当て板に対して押し当てられる押し当て方向に向けて移動させるとともに、箱当て板におけるフラップ押え板の下側に差し込んで、箱体における前後及び左右のフラップをフラップ押え板により折り曲げた状態に押え込む。
【００１３】
箱体の一側面を箱当て板に押し当てて、箱体における前後及び左右のフラップを、フラップ押え板により折り曲げた状態に保持した後、封函用の粘着テープを、フラップ押え板により押え込まれた箱体における左右フラップ同士の突き合わせ部分に沿って該突き合わせ部分を覆うように貼着することにより、箱体における一方の開口部を封函することができる。
【００１４】
つまり、箱体における一方の開口部に連設した前後及び左右のフラップを、フラップ押え板により折り曲げた状態に保持するため、前後及び左右のフラップを作業者の手で折り曲げた状態に保持する必要がない。また、前後及び左右のフラップから手を離しても、該各フラップが折り曲げ前の状態に戻る心配がない。
【００１５】
この結果、粘着テープを、箱体における左右フラップ同士の突き合わせ部分に貼着する作業に専念することができるため、貼着する粘着テープに皺が付いたり、粘着テープの貼着面に隙間が生じたりしにくく、フラップ押え板により押え込まれた箱体における左右フラップ同士の突き合わせ部分を覆うように綺麗に貼着することができる。
【００１６】
しかも、例えば、封函装置や封函機等に比べて、構造が簡単で安価な封函補助器を用いて、箱体における一方の開口部を良好な状態に封函することができるとともに、箱詰めされる箱詰め物の箱詰め数に影響されることなく、該箱詰め物が箱詰めされた箱体の封函を補助することができる。
【００１７】
さらに、粘着テープを貼着する際に、箱体における左右フラップ同士の突き合わせ部分に隙間が生じにくく、左右フラップ同士の端部同士を互いに突き合せたまま封函することができるため、例えば、農産物等の箱詰め物が箱体の外部に流出したり、あるいは、害虫やゴミ等の異物が箱体の内部に侵入することを確実に防止することができる。
【００１８】
この発明の態様として、前記フラップ押え板における前記左右フラップ同士の突き合わせ部分と対応する水平部分に、前記フラップ押え板の水平部分を前記押し当て方向と逆方向に切り欠いて、前記左右フラップ同士の突き合わせ部分の露出が許容される幅の切欠き部を形成することができる。
【００１９】
この発明によれば、箱体における一方の開口部に連設した左右フラップ同士の突き合わせ部分を確実に封函することができる。  
詳しくは、箱体における一方の開口部に連設した前後及び左右のフラップを内側へ折り曲げたまま、箱載置台に載置された箱体を、箱当て板に対して押し当てられる押し当て方向に向けて移動させる。
【００２０】
箱体における左右フラップ同士の突き合わせ部分と、フラップ押え板における水平部分の切欠き部とが同一線上となるように、箱載置台に載置された箱体の載置位置を修正しながら、該箱体を箱当て板におけるフラップ押え板の下側に差し込み、箱体における前後及び左右のフラップをフラップ押え板により折り曲げた状態に押え込む。
【００２１】
箱体を箱当て板に押し当てて、箱体における左右フラップ同士の突き合わせ部分をフラップ押え板の切欠き部に露出した後、粘着テープを、フラップ押え板における水平部分の切欠き部を介して、フラップ押え板により押え込まれた箱体における左右フラップ同士の突き合わせ部分に沿って該突き合わせ部分を覆うように確実に貼着する。  
この結果、箱体における左右フラップ同士の突き合わせ部分を、粘着テープにて封函する封函作業が確実に行える。
【００２２】
またこの発明の態様として、前記切欠き部を、前記フラップ押え板の水平部分から前記箱当て板の垂直部分に連続して形成することができる。  
この発明によれば、箱体における一方の開口部に連設した左右フラップ同士の突き合わせ部分をより確実に封函することができる。
【００２３】
詳しくは、箱体における前後及び左右のフラップを内側へ折り曲げたまま、箱載置台に載置された箱体を、箱当て板に対して押し当てられる押し当て方向に向けて移動させる。
【００２４】
箱体における左右フラップ同士の突き合わせ部分と、フラップ押え板の水平部分から箱当て板の垂直部分に連続して形成した切欠き部とが同一線上となるように、箱載置台に載置された箱体の載置位置を修正しながら、該箱体を箱当て板におけるフラップ押え板の下側に差し込み、箱体における前後及び左右のフラップをフラップ押え板により折り曲げた状態に押え込む。
【００２５】
箱体を箱当て板に押し当てて、箱体における左右フラップ同士の突き合わせ部分と対応する前面部分と、該左右フラップ同士の突き合わせ部分と対応する上面部分とを、フラップ押え板の水平部分から箱当て板の垂直部分に連続して形成した切欠き部に露出する。
【００２６】
これにより、粘着テープを、フラップ押え板の水平部分から箱当て板の垂直部分に連続して形成した切欠き部を介して、箱体における左右フラップ同士の突き合わせ部分と対応する前面部から、該左右フラップ同士の突き合わせ部分と対応する上面部分に連続して、該突き合わせ部分を覆うように貼着することができる。
【００２７】
この結果、箱体における左右フラップ同士の突き合わせ部分を、粘着テープにてより確実に封函することができるとともに、例えば、農産物等の箱詰め物を箱詰めするのに必要な強度が確保される状態に封函することができる。
【００２８】
またこの発明の態様として、前記フラップ押え板における前記押し当て方向と逆方向の端部に、該逆方向に向けて徐々に高くなる反り返り部を設けることができる。  
上記反り返り部は、例えば、箱当て板に対して箱体が押し当てられる方向と逆方向に向けて徐々に高くなるように傾斜する斜面部、あるいは、逆方向に向けて徐々に高くなるように湾曲する曲面部等を含む概念である。
【００２９】
この発明によれば、箱体における前後及び左右のフラップをより確実に折り曲げることができる。  
詳しくは、箱体における一方の開口部に連設した前後及び左右のフラップを内側へ折り曲げたまま、箱載置台に載置された箱体を、箱当て板に対して押し当てられる押し当て方向に向けて移動させる。
【００３０】
箱体を、箱当て板におけるフラップ押え板の下側に差し込む際に、内側に折り曲げられた左右フラップを、フラップ押え板における反り返り部の下面側に当接するとともに、該反り返り部により折り曲げた状態に押え込む。  
また、左右フラップを折り曲げた状態に押え込むことにより、先に折り曲げられた前後フラップを折り曲げた状態に押え込むことができる。
【００３１】
この結果、箱体における左右フラップを、該各フラップの端部同士を互いに突き合せた状態により確実に折り曲げることができるとともに、左右フラップ同士の突き合わせ部分を、粘着テープにより確実に封函することができる。
【００３２】
またこの発明の態様として、前記フラップ押え板を、前記箱載置台に載置される前記箱体の高さに応じて、前記前後及び左右のフラップの折り曲げ状態が保持される高さに上下調節自在に設けることができる。
【００３３】
この発明によれば、高さが異なる複数種の箱体における一方の開口部を封函する封函作業を補助することができる。  
詳しくは、箱当て板におけるフラップ押え板を、箱載置台に載置される箱体の高さに応じて、該箱体における前後及び左右のフラップの折り曲げ状態が保持される高さに上下調節する。
【００３４】
これにより、箱載置台に載置される箱体の高さが異なっても、箱体における前後及び左右のフラップをフラップ押え板により折り曲げた状態に確実に保持することができる。  
この結果、特定の高さを有する箱体のみに用途が限定されるものではなく、一つの封函補助器を、高さが異なる複数種の箱体を封函する封函作業に用いることができる。
【発明の効果】
【００３５】
この発明によれば、矩形筒状に形成した箱体における両方の開口部のうち少なくとも一方の開口部を封函する封函作業を補助することができる封函補助器を提供することができる。
【図面の簡単な説明】
【００３６】
【図１】箱体の底部側を封函する際に用いられる封函補助器の斜視図。
【図２】箱体の底部側を封函した状態の斜視図。
【図３】箱体における底部側のフラップを折り曲げる動作の説明図。
【図４】箱体をフラップ押え板の下側に差し込む動作の説明図。
【図５】箱体における底部側のフラップをフラップ押え板にて押え込んだ状態の斜視図。
【図６】箱体における底部側の左右フラップ同士の突き合わせ部分を粘着テープにて封函する動作の説明図。
【発明を実施するための形態】
【００３７】
この発明の一実施形態を以下図面に基づいて詳述する。  
図１は箱体Ｂの底部側を封函する際に用いられる封函補助器１０の斜視図、図２は箱体Ｂの底部側を封函した状態の斜視図であり、詳しくは、図２（ａ）は矩形筒状に形成した箱体Ｂの斜視図、図２（ｂ）は箱体Ｂの底部側を封函した状態の斜視図である。
【００３８】
図３は箱体Ｂにおける底部側のフラップＢ１，Ｂ２を折り曲げる動作の説明図、図４は箱体Ｂをフラップ押え板４０の下側に差し込む動作の説明図、図５は箱体Ｂにおける底部側のフラップＢ１，Ｂ２をフラップ押え板４０にて押え込んだ状態の斜視図、図６は箱体Ｂにおける底部側の左右フラップＢ２同士の突き合わせ部分ＢＸを粘着テープＴにて封函する動作の説明図である。
【００３９】
本実施形態の封函補助器１０は、矩形筒状に形成した未封函の箱体Ｂを、該箱体Ｂにおける一方の底部側の開口部Ｂａが上向き、他方の開口部Ｂｂが下向きとなる状態に起立して載置する箱載置台２０と、箱載置台２０に載置した箱体Ｂにおける押し当て方向Ｐｕの前面Ｂｆと対向して該箱載置台２０の前端部に対して垂直に取り付けられ、箱体Ｂの前面Ｂｆが押し当て方向Ｐｕに押し当てられる箱当て板３０と、箱当て板３０における上端部に対して押し当て方向Ｐｕと逆方向に向けて水平に突出され、箱載置台２０に載置された箱体Ｂの開口部Ｂａに連設した前後のフラップＢ１及び左右のフラップＢ２を折り曲げた状態に保持するフラップ押え板４０と、を備えている（図１参照）。
【００４０】
なお、上述の押し当て方向Ｐｕとは、矩形筒状に形成した箱体Ｂの長手方向と一致する方向であり、箱当て板３０に対して押し当て方向Ｐｕに押し当てられる箱体Ｂの前面側（具体的には前面Ｂｆ側）を前側とし、箱当て板３０に押し当てられない押し当て方向Ｐｕと反対側（逆方向）の箱体Ｂの後面側を後側としている。
【００４１】
上述の封函補助器１０にて封函を補助される段ボール紙製の箱体Ｂは、該箱体Ｂにおける開口部Ｂａの前後縁部に、略同一幅に形成した前後のフラップＢ１を折り曲げ可能に連設している。開口部Ｂａの左右縁部には、該開口部Ｂａの略半分を覆う大きさ及び形状に形成した左右のフラップＢ２を折り曲げ可能に連設している（図２（ａ）（ｂ）参照）。
【００４２】
箱体Ｂにおける底部側の開口部Ｂａを封函する場合、該開口部Ｂａの前後縁部に連設した前後のフラップＢ１を開口部Ｂａの内側へ折り曲げ、該開口部Ｂａの左右縁部に連設した左右のフラップＢ２を開口部Ｂａの内側へ折り曲げて、該左右のフラップＢ２を先に折り曲げられた前後のフラップＢ１に重ね合わせた後、テープホルダＴ１に装填された封函用の粘着テープＴを、左右のフラップＢ２同士の突き合わせ部分ＢＸを覆うように貼着して封函する（図２（ａ）（ｂ）参照）。
【００４３】
上述の封函補助器１０における箱載置台２０は、矩形筒状に形成した箱体Ｂの載置が許容される大きさ及び形状に形成した上方から見て略矩形の箱載せ板２１と、該箱載せ板２１を水平に支持する支持枠２２とで構成している（図１参照）。
【００４４】
支持枠２２は、箱載せ板２１における下面側四隅部に対して垂直に固定した脚部２３，２４と、前後脚部２３，２４における下端部に対して水平に固定した連結枠２５と、前側脚部２３の下端部に取り付けたキャスター２６とで構成している（図１参照）。
【００４５】
箱当て板３０は、箱載置台２０の箱載せ板２１上に載置された箱体Ｂの前面Ｂｆと対向して、該箱載せ板２１の前端部に対して垂直に取り付けるとともに、箱載せ板２１における箱体Ｂが載置される載置面よりも上方に、該箱体Ｂの前面Ｂｆの押し当てが許容される高さ突出している（図１参照）。
【００４６】
また箱当て板３０は、箱載せ板２１上に載置される箱体Ｂの高さに応じて、該箱体Ｂにおける開口部Ｂａに連設した前後のフラップＢ１及び左右のフラップＢ２の折り曲げ状態が保持される高さに上下調節可能に設けている（図１参照）。  
なお、箱当て板３０の横幅は、箱載せ板２１に載置される箱体Ｂの横幅よりも幅広で、箱載せ板２１の横幅と略同一幅に形成している。
【００４７】
箱当て板３０の両側縁部には、箱載置台２０における箱載せ板２１の前端側両側部と、支持枠２２の前側脚部２３に対して上下動可能に係合される左右一対のガイド板３１を形成している。
【００４８】
左右のガイド板３１は、箱当て板３０の両側縁部を押し当て方向Ｐｕと逆方向に向けて略直角に折り曲げるとともに、該箱当て板３０の両側縁部に沿って上下方向に連続して形成している。左右ガイド板３１の間には、箱載せ板２１の前端側両側部と支持枠２２の前側脚部２３とを上下動可能に係合している（図１参照）。
【００４９】
左右のガイド板３１における箱載せ板２１の前端側両側部と対向する部分には、調節ねじ３３におけるねじ部（図示省略）の挿通が許容されるガイド孔３２を厚み方向に貫通して形成している。  
ガイド孔３２は、例えば、大中小等のサイズが異なる複数種の箱体Ｂの高さに対応して、箱当て板３０に形成したフラップ押え板４０の上下動が許容される長さに形成している（図１参照）。
【００５０】
ガイド孔３２には、調節ねじ３３のねじ部（図示省略）を上下動可能に挿通している。該ガイド孔３２に挿通した調節ねじ３３のねじ部は、左右ガイド板３１間に係合した箱載せ板２１の前端側両側部に螺合している（図１参照）。
【００５１】
フラップ押え板４０は、箱当て板３０における上端部を、該箱当て板３０に対して箱体Ｂが押し当てられる押し当て方向Ｐｕと逆方向に向けて略直角に折り曲げるととともに、該押し当て方向Ｐｕと逆方向に向けて水平に突出している（図１参照）。
【００５２】
フラップ押え板４０における前後のフラップＢ１及び左右のフラップＢ２を折り曲げた状態に押え込む面は、箱載置台２０における箱載せ板２１、あるいは、該箱載せ板２１上に載置される箱体Ｂの開口部Ｂａと平行に形成している。
【００５３】
フラップ押え板４０における押し当て方向Ｐｕと逆方向に向けて水平に形成した水平部分には、該水平部分の幅方向中央部を押し当て方向Ｐｕと逆方向に切り欠いて、左右のフラップＢ２同士の突き合わせ部分ＢＸの露出が許容される幅の切欠き部４１を形成している（図１参照）。
【００５４】
切欠き部４１は、箱当て板３０の垂直部分とフラップ押え板４０の水平部分とで直角を成す角部を介して、フラップ押え板４０の水平部分から箱当て板３０の垂直部分に連続して略Ｌ字状に形成している。  
またフラップ押え板４０における押し当て方向Ｐｕと逆方向の端部には、該逆方向に向けて徐々に高くなるように傾斜する反り返り部４２を形成している（図１参照）。
【００５５】
さらに切欠き部４１は、箱体Ｂの開口部Ｂａに連設した左右のフラップＢ２を内側へ折り曲げた状態において、該左右のフラップＢ２同士の突き合わせ部分ＢＸの露出が許容される幅で、左右のフラップＢ２同士の突き合わせ部分ＢＸに貼着される粘着テープＴの幅よりも幅広に形成している（図１参照）。
【００５６】
上述のフラップ押え板４０を、箱体Ｂに対応して所望する高さ位置に上下調節する場合、調節ねじ３３を締め付け解除方向に回動操作して、箱載せ板２１の前端側両側部に対する箱当て板３０における左右ガイド板３１の締め付け固定を解除すれば、箱当て板３０の全体を、箱載せ板２１の前端側両側部及び支持枠２２の前側脚部２３に沿って垂直方向に上下動することができる（図１参照）。
【００５７】
これにより、箱当て板３０に形成したフラップ押え板４０を、箱載置台２０の箱載せ板２１上に載置される箱体Ｂの高さに対応して、図１中の実線で示す高さ位置、あるいは同図中の二点鎖線で示す高さ位置に上下動することができる。
【００５８】
フラップ押え板４０を所望する高さ位置に上下調節した後、調節ねじ３３を締め付け方向に回動操作して、箱当て板３０における左右ガイド板３１を箱載せ板２１*の前端側両側部に締め付け固定すれば、フラップ押え板４０を、箱体Ｂの開口部Ｂａに連設した前後のフラップＢ１及び左右のフラップＢ２の折り曲げ状態が保持される高さ位置に固定することができる（図１中の実線で示す高さ位置）。
【００５９】
上述のように構成した封函補助器１０を用いて、矩形筒状に形成した箱体Ｂにおける底部側を封函する封函作業について説明する。  
矩形筒状に形成した箱体Ｂを（図２（ａ）参照）、該箱体Ｂにおける一方の開口部Ｂａが上向き、他方の開口部Ｂｂが下向きとなる状態に起立して箱載置台２０の箱載せ板２１上に載置した後、箱体Ｂの開口部Ｂａに連設した前後のフラップＢ１を作業者の手で内側へ折り曲げる（図３参照）。
【００６０】
続いて、箱体Ｂの開口部Ｂａに連設した左右のフラップＢ２を作業者の手で内側へ折り曲げるとともに、先に折り曲げられた前後のフラップＢ１に重ね合わせて、前後のフラップＢ１及び左右のフラップＢ２を互いに重ね合わせた状態に作業者の手で保持する（図４参照）。
【００６１】
箱体Ｂの開口部Ｂａに連設した前後のフラップＢ１及び左右のフラップＢ２を内側へ折り曲げたまま、箱載置台２０に載置された箱体Ｂを、作業者の手で箱当て板３０に対して押し当てられる押し当て方向Ｐｕに向けて水平移動させる（図４参照）。
【００６２】
箱体Ｂにおける左右のフラップＢ２同士の突き合わせ部分ＢＸと、箱当て板３０の垂直部分及びフラップ押え板４０の水平部分に連続して形成した切欠き部４１とが同一線上となるように、箱載置台２０に載置された箱体Ｂの載置位置を修正しながら、箱当て板３０におけるフラップ押え板４０の下側に差し込んで、箱体Ｂにおける前後のフラップＢ１及び左右のフラップＢ２をフラップ押え板４０により折り曲げた状態に押え込む（図５参照）。
【００６３】
箱体Ｂを、箱当て板３０におけるフラップ押え板４０の下側に差し込む際に、内側に折り曲げられた左右のフラップＢ２を、フラップ押え板４０における反り返り部４２の下面側に当接しながら差し込んで、該反り返り部４２により内側へ折り曲げた状態に押え込むとともに、先に折り曲げられた前後のフラップＢ１を折り曲げた状態に押え込む（図５参照）。
【００６４】
箱体Ｂにおける押し当て方向Ｐｕの前面Ｂｆを、箱載置台２０における箱当て板３０に押し当てて、箱体Ｂにおける左右のフラップＢ２同士の突き合わせ部分ＢＸと対応する前面部分と、該左右のフラップＢ２同士の突き合わせ部分ＢＸと対応する上面部分とを、箱当て板３０及びフラップ押え板４０に連続して形成した切欠き部４１に露出する（図５参照）。
【００６５】
箱体Ｂにおける前後のフラップＢ１及び左右のフラップＢ２を、フラップ押え板４０により折り曲げた状態に押え込んだまま、テープホルダＴ１に装填された粘着テープＴを、箱当て板３０及びフラップ押え板４０に連続して形成した切欠き部４１を介して、箱体Ｂにおける左右のフラップＢ２同士の突き合わせ部分ＢＸに沿って該突き合わせ部分ＢＸを覆うように貼着する（図６参照）。
【００６６】
詳しくは、粘着テープＴを、フラップ押え板４０により押え込まれた箱体Ｂにおける左右のフラップＢ２同士の突き合わせ部分ＢＸと対応する前面部から、該左右のフラップＢ２同士の突き合わせ部分ＢＸと対応する上面部分に連続して、該突き合わせ部分ＢＸを覆うように貼着することにより、箱体Ｂの開口部Ｂａを確実に封函することができる。また、例えば、農産物等の箱詰め物を箱詰めするのに必要な強度が確保される状態に封函することができる。（図２（ｂ）、図６参照）。
【００６７】
つまり、箱体Ｂの開口部Ｂａに連設した前後のフラップＢ１及び左右のフラップＢ２を、フラップ押え板４０により折り曲げた状態に保持するため、左右のフラップＢ２を作業者の手で折り曲げた状態に保持する必要がない。また、左右のフラップＢ２から手を離しても、前後のフラップＢ１及び左右のフラップＢ２が折り曲げ前の状態（図２（ａ）参照）に戻る心配がない。
【００６８】
この結果、粘着テープＴを、箱体Ｂにおける左右のフラップＢ２同士の突き合わせ部分ＢＸに貼着する作業に専念することができるため、貼着する粘着テープＴに皺が付いたり、粘着テープＴの貼着面に隙間が生じたりしにくく、フラップ押え板４０により押え込まれた箱体Ｂにおける左右のフラップＢ２同士の突き合わせ部分ＢＸを覆うように綺麗に貼着することができる。
【００６９】
しかも、例えば、封函装置や封函機等に比べて、構造が簡単で安価な封函補助器１０を用いて、箱体Ｂにおける底部側の開口部Ｂａを良好な状態に封函することができるとともに、図示しない箱詰め物（例えば農産物）の箱詰め数に影響されることなく、該箱詰め物が箱詰めされた箱体Ｂの封函を補助することができる。
【００７０】
さらに、粘着テープＴを貼着する際に、箱体Ｂにおける左右のフラップＢ２同士の突き合わせ部分ＢＸに隙間が生じにくく、左右のフラップＢ２同士の端部同士を互いに突き合せたまま封函することができるため、例えば、農産物等の箱詰め物が箱体Ｂの外部に流出したり、あるいは、害虫やゴミ等の異物が箱体Ｂの内部に侵入することを確実に防止することができる。
【００７１】
上述のように箱体Ｂにおける底部側の開口部Ｂａを封函した後、該箱体Ｂを他方の開口部Ｂｂが上向きとなる姿勢に上下反転して、図示しない箱詰め物（例えば農産物）を箱詰めする。
【００７２】
図示しない箱詰め物を、箱体Ｂの開口部Ｂｂよりも外側に突出する状態に箱詰めする場合、該開口部Ｂｂに連設した左右のフラップＢ２を、該左右のフラップＢ２の端部同士を互いに突き合せた状態に折り曲げることができないため、箱体Ｂの開口部Ｂｂ側に突出する箱詰め物を覆うように、例えば、透光性を有する合成樹脂製のフィルムを被せて包装する。あるいは、箱体Ｂの全体をシュリンク包装する等して包装してもよい。
【００７３】
また、箱詰め物を、箱体Ｂの開口部Ｂｂよりも内側に収まる状態に箱詰めする場合、箱詰め後において、封函補助器１０を用いて箱体Ｂの開口部Ｂｂに連設した前後のフラップＢ１及び左右のフラップＢ２を内側へ折り曲げて封函してもよい。
【００７４】
さらに、箱体Ｂの封函作業を封函補助器１０にて補助する場合、箱載置台２０の後側脚部２４を所望する場所に接地した状態で封函作業を行うため、封函作業中において箱載置台２０の向きや位置が変位しにくく、箱体Ｂの封函作業が安定して行える。
【００７５】
また、箱体Ｂの封函作業を所望する場所にて行う場合、封函補助器１０の後側を持ち上げて、後側脚部２４を接地面から浮き上がらせることにより、前側脚部２３に取り付けたキャスター２６を利用して、封函補助器１０の全体を所望する場所へ移動することができる。
【００７６】
この発明の構成と、前記実施形態との対応において、  
この発明の箱体の一側面は、実施形態の箱体Ｂにおける前面Ｂｆに対応するも、  
この発明は、上述の実施形態の構成のみに限定されるものではなく、請求項に示される技術思想に基づいて応用することができ、多くの実施の形態を得ることができる。
【００７７】
本実施形態の封函補助器１０は、段ボール紙製の箱体Ｂを封函する封函作業のみに用途が限定されるものではなく、例えば、厚紙、プラスチックシート等で形成された箱体Ｂを封函する封函作業にも用いることができる。
【符号の説明】
【００７８】
Ｂ…箱体
Ｂａ，Ｂｂ…開口部
Ｂｆ…前面
Ｂ１，Ｂ２…フラップ
ＢＸ…突き合わせ部分
Ｔ…粘着テープ
Ｐｕ…押し当て方向
１０…封函補助器
２０…箱載置台
２１…箱載せ板
３０…箱当て板
３１…ガイド板
３２…ガイド孔
３３…調節ねじ
４０…フラップ押え板
４１…切欠き部
４２…反り返り部
【図１】
2016130138.tif 000003
【図２】
2016130138.tif 000004
【図３】
2016130138.tif 000005
【図４】
2016130138.tif 000006
【図５】
2016130138.tif 000007
【図６】
2016130138.tif 000008